(57)【要約】【課題】表示部の奥行きを増やしたり、表示部内部の端子配置の制約を増やしたりすることなく、省スペースでマルチメディアに対応する外部接続端子へのコネクタの抜き挿しを可能にした薄型表示装置を提供する。【解決手段】壁掛け式の設置が可能で、表示部２の背面側に外部接続端子４が設けられた薄型表示装置１において、表示部２は、外部接続端子４が設けられる基板ユニット６を固定するホルダ７と、外部接続端子４が背面側へ外向するようにホルダ７を固定するブラケット８とを備えたことを特徴とするものとする。【選択図】図２
2006350296.tif 000002
【特許請求の範囲】
【請求項１】
外部機器に接続される接続ケーブルのコネクタが接続可能な外部接続端子が表示部の背面側に設けられた薄型表示装置において、
前記外部接続端子は、前記表示部の画面垂直方向に対し所定の鋭角を有した方向に前記接続ケーブルのコネクタと接続されるように配置されたこと
を特徴とする薄型表示装置。
【請求項２】
外部機器に接続される接続ケーブルのコネクタが接続可能な外部接続端子が表示部の背面側に設けられた薄型表示装置において、
前記表示部の背面には、前記外部接続端子が設けられた基板ユニットを固定する基板固定手段を有し、
前記基板固定手段は、前記外部接続端子が前記表示部の画面垂直方向に対し所定の鋭角を成す状態で前記基板ユニットを固定したこと
を特徴とする薄型表示装置。
【請求項３】
前記基板固定手段は、
前記外部接続端子が設けられる基板ユニットを固定するホルダと、
前記ホルダを固定するブラケット金具とで構成され、
前記ホルダは、前記基板ユニットと前記ブラケット金具との間を介して配置されたこと
を特徴とする請求項２に記載の薄型表示装置。
【請求項４】
前記表示部の外側部に沿って隣接してスピーカユニットが設けられ、
前記外部接続端子は、前記スピーカユニットと対向する表示部の外側部の、該スピーカユニットの背面よりも表示部の前面寄りに配置され、
前記コネクタの前記外部接続端子への抜き挿し方向を、前記スピーカユニットの背面より後方から該外部接続端子に向かい傾斜した方向とすること
を特徴とする請求項１乃至３のうちの何れか一項に記載の薄型表示装置。
【請求項５】
前記基板ユニットはそれぞれに外部接続端子が設けられた複数の基板を含み、
前記ホルダは、
各基板を前記ブラケット金具へ個別に固定するための複数の固定部材から構成されていること
を特徴とする請求項３に記載の薄型表示装置。
【請求項６】
前記基板ユニットはそれぞれに外部接続端子が設けられた複数の基板からなり、
前記ホルダは、
各基板を前記ブラケット金具へ一体的に固定するための１つの固定部材から構成されていること
を特徴とする請求項３に記載の薄型表示装置。
【請求項７】
前記ブラケット金具は、
前記複数の基板を取り付ける複数の取付面を有し、
前記コネクタの外部接続端子への抜き挿し方向が基板毎に異なるように、各取付面の法線方向が異なっていること
を特徴とする請求項５又は６に記載の薄型表示装置。
【発明の詳細な説明】
【技術分野】
【０００１】
本発明は、薄型表示装置に係り、特に、外部機器に接続される接続ケーブルのコネクタが接続可能な外部接続端子を備えた薄型表示装置に関する。
【背景技術】
【０００２】
近年、ＡＶ機器や各種の機器と接続可能なマルチメディア対応の表示装置が広く普及している。表示装置において、最近では、ブラウン管に代わって、薄型で広い設置スペースを必要としない液晶ディスプレイやプラズマディスプレイなどを用いた薄型表示装置（例えば、いわゆる薄型テレビ）が普及している。
【０００３】
マルチメディア対応の表示装置においては、ＡＶ機器や各種の機器に応じて多くの接続端子が必要となり、その接続端子等の外部接続端子を設置するスペースが必要となる。また、それらの外部接続端子は、外観を損なわないようにするために表示装置の背面側に設けられることが一般的である。
【０００４】
特に、液晶ディスプレイやプラズマディスプレイが用いられる薄型表示装置では、薄型の利点を損なわないように様々な対策が講じられている。
例えば、スタンド式の薄型表示装置１０１では、図８に示すように、表示部１０２の背面の側端部１０２ａに接続部１０４を設け、その接続部１０４に接続される配線１１４をスタンド１０５の背面に取りまとめるようにしたものが提案されている（特許文献１を参照）。
【特許文献１】特開平１１−２４９５７７号公報
【発明の開示】
【発明が解決しようとする課題】
【０００５】
しかしながら、このような構成では、配線１１４をカバー１１５で覆うために後方にスペースが必要となり、その結果、表示部１０２の薄型化を実現しても薄型表示装置１０１の全体として奥行きが増加するという問題点がある。
【０００６】
一方、スタンドを使用しない壁掛け式の薄型表示装置２０１の場合は、表示部２０２の背面に接続部を設けることができないため、図９に示すように、表示部２０２の側面２１２に接続部２０４を設ける必要がある。
【０００７】
しかしながら、表示部２０２の左右両側面にスピーカユニット２０３を備えた薄型表示装置の場合は、図９の破線で示すように、表示部２０２の側面２１２にはスピーカユニット２０３が隣接配置されているので、外部装置に接続される配線ケーブルのコネクタ２１６の抜き挿し操作がし難いため、スピーカユニット２０３を避けた位置に外部接続端子２１４を設ける必要がある（２点鎖線部を参照）。
【０００８】
そのためには、表示部２０２の奥行きの高さＨ１をスピーカユニット２０３の奥行きの高さＨ２よりも高く（Ｈ３）構成するか（スピーカユニット２０３を優先）、スピーカユニット２０３の高さＨ２を表示部２０２の高さＨ１よりも低くすることが必要である（表示部２０２を優先）。
【０００９】
しかしながら、いずれの場合においても、薄型表示装置２０１は、表示部２０２の高さＨ１とスピーカユニット２０３の高さＨ２とにより制約されるため、その結果、表示部２０２又はスピーカユニット２０３のいずれかが背面側に突出することにより、薄型表示装置２０１全体として奥行きが増加してしまうという問題点が生じる。
【００１０】
すなわち、薄型表示装置の場合は、省スペースで設置できることに特徴があるため、後側に突出するとその分装置全体の奥行きが増加して、薄型表示装置であることの利点が損なわれて、薄型表示装置を設置するためのスペース効率が悪くなるという問題点がある。
【００１１】
また、上記問題を回避するために、薄型表示装置の背面側を突出させることなく、外部接続端子を表示部内部に配置することが考えられるが、このように構成すると、表示部内部の収容スペースが限られているため、他機能の端子等の配置に制約が増える等の不具合が生じるという問題点が生じる。
【００１２】
本発明は、上記従来の問題点を鑑みてなされたものであって、表示部の奥行きを増やしたり、表示部内部の端子配置の制約を増やしたりすることなく、省スペースでマルチメディアに対応する外部接続端子へのコネクタの抜き挿しを可能にした薄型表示装置を提供することを目的とするものである。
【課題を解決するための手段】
【００１３】
本発明に係る薄型表示装置は、外部機器に接続される接続ケーブルのコネクタが接続可能な外部接続端子が表示部の背面側に設けられた薄型表示装置において、前記外部接続端子は、前記表示部の画面垂直方向に対し所定の鋭角を有した方向に前記接続ケーブルのコネクタと接続されるように配置されたことを特徴とする。
【００１４】
本発明にあっては、外部接続端子を、表示部の画面垂直方向に対し所定の鋭角を有した方向に接続ケーブルのコネクタと接続されるように配置する。これにより、表示装置全体の厚みを極力抑えつつ、薄型表示装置の背面に設けられた外部接続端子に対するユーザのケーブル挿入作業を容易にする。
【００１５】
本発明に係る薄型表示装置は、外部機器に接続される接続ケーブルのコネクタが接続可能な外部接続端子が表示部の背面側に設けられた薄型表示装置において、前記表示部の背面には、前記外部接続端子が設けられた基板ユニットを固定する基板固定手段を有し、前記基板固定手段は、前記外部接続端子が前記表示部の画面垂直方向に対し所定の鋭角を成す状態で前記基板ユニットを固定したことを特徴とする。
【００１６】
本発明にあっては、基板固定手段として、外部接続端子が表示部の画面垂直方向に対し所定の鋭角を成す状態で基板ユニットを固定する。これにより、表示装置全体の厚みを極力抑えつつ、薄型表示装置の背面に設けられた外部接続端子に対するユーザのケーブル挿入作業を容易にする。
【００１７】
本発明に係る薄型表示装置は、前記基板固定手段が、前記外部接続端子が設けられる基板ユニットを固定するホルダと、前記ホルダを固定するブラケット金具とで構成され、前記ホルダは、前記基板ユニットと前記ブラケット金具との間を介して配置されたことを特徴とする。
【００１８】
本発明にあっては、基板固定手段を、外部接続端子が設けられる基板ユニットを固定するホルダと、ホルダを固定するブラケット金具とで構成する。そして、ホルダを、基板ユニットとブラケット金具との間を介して配置する。これにより、例えば、バックライトやプラズマ素子の放電現象を有する表示部からの不要輻射成分によって、外部接続端子を有した基板ユニットを通して伝送された映像信号が受けるノイズの影響を極力抑制する。
【００１９】
本発明に係る薄型表示装置は、前記表示部の外側部に沿って隣接してスピーカユニットが設けられ、前記外部接続端子は、前記スピーカユニットと対向する表示部の外側部の、該スピーカユニットの背面よりも表示部の前面寄りに配置され、前記コネクタの前記外部接続端子への抜き挿し方向を、前記スピーカユニットの背面より後方から該外部接続端子に向かい傾斜した方向とすることを特徴とする。
【００２０】
本発明にあっては、表示部の外側部に沿って隣接してスピーカユニットが設けられ、外部接続端子を、スピーカユニットと対向する表示部の外側部の、スピーカユニットの背面よりも表示部の前面寄りに配置する。そして、コネクタの外部接続端子への抜き挿し方向を、スピーカユニットの背面より後方から外部接続端子に向かい傾斜した方向とする。これにより、表示部の周囲に設けられたスピーカの厚さを考慮する必要がなく、且つケーブル挿入作業が難しくない薄型表示装置を提供する。
【００２１】
本発明に係る薄型表示装置は、前記基板ユニットがそれぞれに外部接続端子が設けられた複数の基板を含み、前記ホルダは、各基板を前記ブラケット金具へ個別に固定するための複数の固定部材から構成されていることを特徴とする。
【００２２】
本発明にあっては、基板ユニットを構成する複数の基板がそれぞれ外部接続端子を有し、各基板をブラケット金具へ個別に固定するための複数の部材からホルダを構成する。これにより、各基板が複数の部材からなるホルダによってブラケット金具へ組み込まれた後は、複数の基板が１つの基板ユニットとして一体化されるので、生産性向上（組立工数削減）及び部品点数削減によるコスト削減を図ることができる。
【００２３】
本発明に係る薄型表示装置は、前記基板ユニットがそれぞれに外部接続端子が設けられた複数の基板からなり、前記ホルダは、各基板を前記ブラケット金具へ一体的に固定するための１つの固定部材から構成されていることを特徴とする。
【００２４】
本発明にあっては、基板ユニットを構成する複数の基板がそれぞれ外部接続端子を有し、各基板をブラケット金具へ一体的に固定するための１つの部材からホルダを構成する。これにより、各基板が１つの部材からなるホルダによってブラケット金具へ組み込まれた後は、複数の基板が１つの基板ユニットとして一体化されるので、生産性向上（組立工数削減）及び部品点数削減によるコスト削減を図ることができる。
【００２５】
本発明に係る薄型表示装置は、前記ブラケット金具が、前記複数の基板を取り付ける複数の取付面を有し、前記コネクタの外部接続端子への抜き挿し方向が基板毎に異なるように、各取付面の法線方向が異なっていることを特徴とする。
【００２６】
本発明にあっては、ブラケット金具が複数の基板を取り付ける複数の取付面を有し、コネクタの外部接続端子への抜き挿し方向が基板毎に異なるようにする。これにより、シャーシの外形を気にすることなく、ケーブル挿入作業が容易になるように、適宜コネクタの外部接続端子への抜き挿し方向を設定することができる。
【発明の効果】
【００２７】
本発明によれば、外部機器に接続される接続ケーブルのコネクタが接続可能な外部接続端子が表示部の背面側に設けられた薄型表示装置において、外部接続端子を、表示部の画面垂直方向に対し所定の鋭角を有した方向に接続ケーブルのコネクタと接続されるように配置した構成としたので、表示装置全体の厚みを極力抑えつつ、薄型表示装置の背面に設けられた外部接続端子に対するユーザのケーブル挿入作業を容易にすることができるという格別な効果を有する。
【００２８】
本発明によれば、外部機器に接続される接続ケーブルのコネクタが接続可能な外部接続端子が表示部の背面側に設けられた薄型表示装置において、表示部の背面には、外部接続端子が設けられた基板ユニットを固定する基板固定手段を有し、基板固定手段として、外部接続端子が表示部の画面垂直方向に対し所定の鋭角を成す状態で基板ユニットを固定する構成としたので、表示装置全体の厚みを極力抑えつつ、薄型表示装置の背面に設けられた外部接続端子に対するユーザのケーブル挿入作業を容易にすることができる。
【００２９】
本発明によれば、基板固定手段を、外部接続端子が設けられる基板ユニットを固定するホルダと、ホルダを固定するブラケット金具とで構成し、ホルダを、基板ユニットとブラケット金具との間を介して配置する構成としたので、例えば、バックライトやプラズマ素子の放電現象を有する表示部からの不要輻射成分によって、外部接続端子を有した基板ユニットを通して伝送された映像信号が受けるノイズの影響を極力抑制することができる。
【００３０】
本発明によれば、表示部の外側部に沿って隣接してスピーカユニットが設けられ、外部接続端子を、スピーカユニットと対向する表示部の外側部の、スピーカユニットの背面よりも表示部の前面寄りに配置し、コネクタの外部接続端子への抜き挿し方向を、スピーカユニットの背面より後方から外部接続端子に向かい傾斜した方向とする構成としたので、表示部の周囲に設けられたスピーカの厚さを考慮する必要がなく、且つケーブル挿入作業が難しくない薄型表示装置を提供することができる。
【００３１】
本発明によれば、基板ユニットを構成する複数の基板がそれぞれ外部接続端子を有し、各基板をブラケット金具へ個別に固定するための複数の部材からホルダを構成することとしたので、各基板が複数の部材からなるホルダによってブラケット金具へ組み込まれた後は、複数の基板が１つの基板ユニットとして一体化されるので、生産性向上（組立工数削減）及び部品点数削減によるコスト削減を図ることができる。
【００３２】
本発明によれば、基板ユニットを構成する複数の基板がそれぞれ外部接続端子を有し、各基板をブラケット金具へ一体的に固定するための１つの部材からホルダを構成することとしたので、各基板が１つの部材からなるホルダによってブラケット金具へ組み込まれた後は、複数の基板が１つの基板ユニットとして一体化されるので、生産性向上（組立工数削減）及び部品点数削減によるコスト削減を図ることができる。
【００３３】
本発明によれば、ブラケット金具が複数の基板を固定する複数の取付面を有し、コネクタの外部接続端子への抜き挿し方向が基板毎に異なるように、各取付面の法線方向が異なる構成としたので、シャーシの外形を気にすることなく、ケーブル挿入作業が容易になるように、適宜コネクタの外部接続端子への抜き挿し方向を設定することができる等、優れた効果を奏する。
【発明を実施するための最良の形態】
【００３４】
以下、本発明の実施の形態について図面を参照して詳細に説明する。
【００３５】
（第１実施形態）
図１〜４は本発明を実施する形態の一例であって、図１は本発明の第１実施形態に係る薄型表示装置の構成を示す背面側斜視図、図２は薄型表示装置を構成する表示部とスピーカユニットと外部接続端子との位置関係を示す部分詳細図、図３は外部接続端子の構成を示す表示部の一部切欠断面詳細図、図４は外部接続端子の構成を示す側面断面詳細図である。
【００３６】
本実施形態は、図１に示すように、壁掛け式の設置が可能で、表示部２と、表示部２の左右両側面２ａ，２ａに隣接して一体的にスピーカユニット３，３とを備え、表示部２と一方のスピーカユニット３との間の表示部２の側面２ａに外部接続端子４を設けたことを特徴とする薄型表示装置１である。この薄型表示装置１は、図示しないスタンドによっても設置が可能となっている。
【００３７】
表示部２は、横長の平面矩形状を呈し、画像及び動画を表示するための手段として液晶パネルを採用し、ブラウン管方式の表示部と比較して薄型で構成されている。なお、表示部としてプラズマディスプレイを採用したものであっても良い。
【００３８】
表示部２のスピーカユニット３と対向する側面２ａは、互いに表示部２の正面側より背面側が狭くなるように（背面側に外向するように）傾斜して形成されている。この表示部２の一方のスピーカユニット３と対向する側面２ａには、外部接続端子４を取り付けるための開口部２ｂが開口形成されている。
【００３９】
スピーカユニット３は、縦長の略矩形柱状を呈し、連結部３ａを介して表示部２の長手方向の左右両側端部に接続され、その縦寸法を表示部２の縦寸法と略同寸法で形成され、図２に示すように、スピーカユニット３の高さ（奥行き）Ｈ２を表示部２の高さ（奥行き）Ｈ１と略同寸法で形成されている。
【００４０】
表示部２及びスピーカユニット３は、図１，２に示すように、共に、正面側（図中下側）の下底が長い略台形状断面を有しているため、表示部２とスピーカユニット３との間には空間（デッドスペース）５が形成される。
【００４１】
その空間５において、表示部２の一方のスピーカユニット３と対向する側面２ａには、外部接続端子４が背面側へ外向するように傾斜した状態で突設されている。
【００４２】
外部接続端子４は、図２，３に示すように、表示部２の側面２ａより突出した状態で、表示部２内部に配置される基板ユニット６に一体的に設けられ、外部機器（図示省略）に接続される配線ケーブルのコネクタ１６が表示部２の外側より接続可能となっている。
【００４３】
外部接続端子４に接続される配線ケーブルとしては、ＲＣＡケーブル、ＩＥＥＥ１３９４規格ケーブル、ＵＳＢケーブル等があり、それぞれのケーブルに接続されるコネクタの形状に応じて、外部接続端子は異なったものが採用される。
【００４４】
基板ユニット６は、略Ｌ字状のホルダ７に取り付けられている。また、ホルダ７は、ブラケット８を介して表示部２内部に設置されている。
【００４５】
ホルダ７は、図４に示すように、側面部７ａとその側面部７ａに対して略直角に形成された底面部７ｂとにより構成されることにより、略Ｌ字状の形状を呈し、外部接続端子４が側面部７ａから突出した状態で、基板ユニット６が底面部７ｂ側に取り付けられている。
【００４６】
側面部７ａの底面部７ｂからの立ち上がり基部付近には、側面２ａに形成された開口部２ｂにホルダ７を位置決めする機能と、ホルダ７を補強する機能とを備えた取付部７ｃが突出形成されている。底面部７ｂの外側の略中央部には、ブラケット８に取り付けられるボス部７ｂ１が突設されている。
【００４７】
ブラケット８は、図３，４に示すように、屈曲した略Ｌ字状に形成され、表示部２内部に取り付けられた状態で、図中で略水平な平面８ａと、この平面８ａの端部から上方に屈曲した折曲部８ｂと、平面８ａから延設され所定の角度で上方に傾斜した傾斜面８ｃと、この傾斜面８ｃの端部から下方に屈曲した折曲部８ｄとにより構成されている。
【００４８】
平面８ａには、ブラケット８をバックライトシャーシ１０側に取り付けるための取付孔８ａ１が形成され、取付ビス９によりバックライトシャーシ１０側に螺着される。
【００４９】
傾斜面８ｃは、外部機器に接続される接続ケーブルのコネクタ１６の外部接続端子４への抜き挿し方向が、スピーカユニット３の背面３ｂより後方から外部接続端子４に向かい傾斜した方向となる傾斜角度で形成されている。
【００５０】
傾斜面８ｃには、ホルダ７が取り付けられる取付孔８ｃ１が形成され、取付孔８ｃ１にボス部７ｂ１の端部が嵌着されて、ホルダ７がブラケット８に固定される。
なお、ホルダ７のブラケット８への固定は、上述した嵌着によることに限るものではなく、溶着によるものであったり、接着剤を用いて固着させたり、ネジによって螺着するものであってもよい。
【００５１】
また、ブラケット８は、平面８ａの端部の折曲部８ｂ及び傾斜面８ｃの端部の折曲部８ｄにより、ブラケット８全体の剛性を高めている。
【００５２】
次に、外部接続端子４の取り付け状態について、図面を参照して詳細に説明する。
図４に示すように、外部接続端子４は、基板ユニット６の一端側より突出した状態で一体的に取り付けられている。
【００５３】
この基板ユニット６は、ホルダ７の側面部７ａから外部接続端子４が突出した状態でホルダ７の底面部７ｂに固定される。
【００５４】
ブラケット８は、平面８ａがバックライトシャーシ１０上でバックライトシャーシ１０に沿って略平行に取り付けられる。すなわち、ブラケット８は、表示部２に対して略平行に取り付けられている。
【００５５】
基板ユニット６が取り付けられたホルダ７は、表示部２の側面２ａに対して、側面２ａに外部接続端子４が突出配置するように側面部７ａが開口部２ｂに装着されるとともに、ブラケット８に対して、底面部７ｂがブラケットの傾斜面８ｃに沿って略平行に配置される。すなわち、ホルダ７の側面部７ａは、背面側に向かい外向した状態で取り付けられる。
【００５６】
したがって、外部接続端子４は、スピーカユニット３の背面３ｂよりも表示部の前面寄りに配置され、側面２ａから外部に突出して、背面側に向かい外向して傾斜した状態で取り付けられる。
【００５７】
また、ブラケット８の傾斜面８ｃの傾斜角度が、外部機器に接続される接続ケーブルのコネクタ１６の外部接続端子４への抜き挿し方向を、スピーカユニット３の背面３ｂより後方から外部接続端子４に向かい傾斜した方向となるように形成されているので、外部接続端子４は、コネクタ１６がスピーカユニット３と干渉することなくスピーカユニット３の背面３ｂより後方から斜めに抜き挿しできるように配置される。
【００５８】
以上のように構成したので、本実施形態の薄型表示装置１によれば、表示部２の側面２ａに沿ってスピーカユニット３が配置されても、側面２ａに外部接続端子４を背面側に外向するように傾斜して配置することで、表示部２の背面側の側方よりスピーカユニット３を跨いで、本来ならばデッドスペースとなる表示部２とスピーカユニット３の間の空間５を利用してコネクタ１６を外部接続端子４に抜き挿しすることができる。
【００５９】
したがって、本実施形態によれば、表示部２の奥行きを増やしたり、表示部２内部の端子配置の制約を増やしたりすることなく、省スペースでマルチメディアに対応する外部接続端子４へのコネクタ１６の抜き挿しを可能にできる。
【００６０】
また、本実施形態によれば、外部接続端子４が取り付けられるホルダ７を、表示部２の傾斜した側面２ａに沿って形成したので、側面２ａとホルダ７との一体感を持たせ、外観を良好にしている。
【００６１】
なお、本実施形態では、ブラケット８に傾斜面８ｃを形成し、外部接続端子４が保持されるホルダ７を傾斜させて取り付けるようにしているが、本発明の主旨は、これに限定されるものではなく、外部接続端子が取り付けられるホルダと、ホルダが取り付けられるブラケットにより、外部接続端子を表示部の背面側に外向させて斜めに配置するものであれば良い。
【００６２】
例えば、外部接続端子が取り付けられるホルダのブラケットへの取付部を、所定の角度だけ傾斜させて構成し、これをブラケットに取り付けるようにしたものであってもよい。このように、外部接続端子の取り付け位置や傾斜させる角度によって、ホルダとブラケットとの取り付けの態様は如何様にも展開が可能である。
【００６３】
また、本発明を発展させて、例えば、外部接続端子が保持されるホルダとホルダが取り付けられるブラケットとの取り付け角度の調整を可能にして、外部接続端子に接続されるコネクタ（大きさ、形状など）に応じて、外部接続端子の傾斜角度を変更できるようにしても良い。このように構成することは、容易に展開可能である。
【００６４】
（第２実施形態）
図５は本発明の第２実施形態に係る薄型表示装置の構成を示す背面側斜視図であり、図６は本発明の第２実施形態に係る薄型表示装置の要部構成を示す斜視図、図７は分解斜視図である。
【００６５】
本実施形態の概略構成は第１実施形態と同様であるが、本発明の第２実施形態に係る薄型表示装置２０は、図５に示すように、表示部２の一方のスピーカユニット３と対向する側面２ａに、外部接続端子２４ａを取り付けるための開口部２２ａを開口形成するとともに、表示部２の下方側に、外部接続端子２４ｂを取り付けるための開口部２２ｂを開口形成する。
【００６６】
外部接続端子２４ａ，２４ｂは、図６に示すように、表示部２内部に配置される基板ユニット２６に設けられ、図示しない外部機器に接続される配線ケーブルのコネクタ１６が表示部２の外側より接続可能となっている。
【００６７】
基板ユニット２６は、具体的には、外部接続端子２４ａが設けられた基板２６ａと、外部接続端子２４ｂが設けられた基板２６ｂとを含み、各基板２６ａ，２６ｂは、それぞれ略Ｌ字状のホルダ部材２７ａ，２７ｂに取り付けられている。ホルダ部材２７ａ，２７ｂは、１つのブラケット２８を介して表示部２内部に設置されている。本例では、ブラケット２８をボス２９ａを介してビス２９によりバックライトシャーシ１０に固定する。
【００６８】
ブラケット２８は、各ホルダ部材２７ａ，２７ｂを固定する取付面２８ａ，２８ｂを有する。各取付面２８ａ，２８ｂは、その法線方向（矢符Ｖ１，Ｖ２）が異なるように加工成形されている。したがって、このブラケット２８にホルダ部材２７ａ，２７ｂを介して取り付けられた各基板２６ａ，２６ｂの外部接続端子２４ａ，２４ｂの軸心方向が異なる。つまり、各基板に設けられた外部接続端子へのコネクタの抜き挿し方向が基板毎に異なるようになっている。このように、外部接続端子２４ａ，２４ｂの軸心方向を、取付面２８ａ，２８ｂによって規定することができる。
【００６９】
次に、外部接続端子２４ａ，２４ｂの取り付けについて、外部接続端子２４ａを一例として、図面を参照して詳細に説明する。
図７に示すように、外部接続端子２４ａは基板２６ａに設けられている。また、ホルダ部材２７ａの側面部には貫通孔２７ａ１が設けられており、この貫通孔２７ａ１に外部接続端子２４ａを嵌入した状態で、ネジ３１を用いて基板２６ａをホルダ部材２７ａに固定する。
【００７０】
また、ブラケット２８の取付面２８ａには貫通孔３２が設けられており、ネジ３１を用い、この貫通孔３２を介してホルダ部材２７ａをブラケット２８の取付面２８ａに固定する。外部接続端子２４ｂも外部接続端子２４ａと同様である。
【００７１】
このように、取付面２８ａ，２８ｂの傾斜に応じて、外部接続端子２４ａ，２４ｂの軸心方向が決定される。したがって、本実施形態によれば、バックライトシャーシの外形を気にすることなく、ケーブル挿入作業が容易になるように、適宜コネクタの外部接続端子への抜き挿し方向を設定することができる。
【００７２】
本例では、ブラケット２８のホルダ部材２７ａ（基板２６ａ）用の取付面２８ａの傾斜角度が、外部機器に接続される接続ケーブルのコネクタ１６の外部接続端子２４ａへの抜き挿し方向を、スピーカユニット３の背面３ｂより後方から外部接続端子２４ａに向かい傾斜した方向となるように形成されている。これにより、外部接続端子２４ａは、コネクタ１６がスピーカユニット３と干渉することなくスピーカユニット３の背面３ｂより後方から斜めに抜き挿しできるように配置される。
【００７３】
また、外部機器に接続される接続ケーブルのコネクタ１６を表示部２の下方背面側から外部接続端子２４ｂに抜き挿しできるように、ブラケット２８のホルダ部材２７ｂ（基板２６ｂ）用の取付面２８ｂの傾斜角度が決定されている。つまり、薄型表示装置の外形に応じて、コネクタの外部接続端子への抜き挿し方向を複数とすることができる。例えば、コネクタ数が多く、第１実施形態のように、抜き挿し方向が１方向では不可能な場合に有用である。
【００７４】
また、各基板をブラケットに組み込んだ後は、複数の基板が１つの基板ユニットとして一体化されるので、組立工数削減及び部品点数削減によるコスト削減を図ることができる。
【００７５】
なお、本実施形態では、ホルダが２つのホルダ部材からなり、それぞれのホルダに各基板が取り付けられる形態について説明したが、ホルダが各基板をブラケット金具へ一体的に固定するための１つの部材から構成された形態であっても良い。このような形態でも、各基板がブラケットへ組み込まれた後は、複数の基板が１つの基板ユニットとして一体化されるので、組立工数削減及び部品点数削減によるコスト削減を図ることができる。
【図面の簡単な説明】
【００７６】
【図１】本発明の第１実施形態に係る薄型表示装置の構成を示す背面側斜視図である。
【図２】薄型表示装置を構成する表示部とスピーカユニットと外部接続端子との位置関係を示す部分詳細図である。
【図３】外部接続端子の構成を示す表示部の一部切欠断面詳細図である。
【図４】外部接続端子の構成を示す側面断面詳細図である。
【図５】本発明の第２実施形態に係る薄型表示装置の構成を示す背面側斜視図である。
【図６】本発明の第２実施形態に係る薄型表示装置の要部構成を示す斜視図である。
【図７】本発明の第２実施形態に係る薄型表示装置の要部構成を示す分解斜視図である。
【図８】従来のスタンド式の薄型表示装置の構成を示す背面側からの斜視図である。
【図９】従来の壁掛け式の薄型表示装置における外部接続端子の構成を示す説明図である。
【符号の説明】
【００７７】
１，２０  薄型表示装置
２  表示部
２ａ  側面
２ｂ，２２ａ，２２ｂ  開口部
３  スピーカユニット
３ａ  連結部
３ｂ  背面
４，２４ａ，２４ｂ  外部接続端子
５  空間
６，２６  基板ユニット
２６ａ，２６ｂ  基板
７，２７ａ，２７ｂ  ホルダ
７ａ  側面部
７ｂ  底面部
７ｃ  取付部
８，２８  ブラケット（ブラケット金具）
８ａ  平面
８ｂ  折曲部
８ｃ  傾斜面
８ｄ  折曲部
２８ａ，２８ｂ  取付面
１６  コネクタ
【図１】
2006350296.tif 000003
【図２】
2006350296.tif 000004
【図３】
2006350296.tif 000005
【図４】
2006350296.tif 000006
【図５】
2006350296.tif 000007
【図６】
2006350296.tif 000008
【図７】
2006350296.tif 000009
【図８】
2006350296.tif 000010
【図９】
2006350296.tif 000011